(57)【要約】      （修正有）【課題】使用者がより快適に使用することが可能なマッサージ機を提供する。【解決手段】エアバック１５ａ、１６ａを用いたマッサージ機１０において、マッサージ機本体１１に置かれた足の爪先から足先の甲に至る部位を被覆する被覆部３５を設けた。さらに足裏を温めるヒータ部Ｈを前記マッサージ機本体に備えた。前記ヒータ部は前記マッサージ機本体１１に置かれた足の親指に対向する位置に設けられている。足のツボを押圧するツボ押し部が前記マッサージ機本体側から足裏に向けて突出しており、前記ツボ押し部が前記ヒータ部を挟むように足の長手方向に沿って配置されている。【選択図】図１
2013000508.tif 000002
【特許請求の範囲】
【請求項１】
マッサージ機本体に置かれた足先の足裏を前記マッサージ機本体に設けられたエアバックを用いてマッサージするマッサージ機において、
前記マッサージ機本体に置かれた足の爪先から足先の甲に至る部位を被覆する被覆部を備えたことを特徴とするマッサージ機。
【請求項２】
請求項１に記載のマッサージ機において、
前記被覆部は可撓性を有していることを特徴とするマッサージ機。
【請求項３】
請求項１又は請求項２に記載のマッサージ機において、
前記被覆部は発泡性材料から形成されていることを特徴とするマッサージ機。
【請求項４】
請求項１〜請求項３のいずれか一項に記載のマッサージ機において、
足裏を温めるヒータ部を前記マッサージ機本体にさらに備えたことを特徴とするマッサージ機。
【請求項５】
請求項４に記載のマッサージ機において、
前記ヒータ部は前記マッサージ機本体に置かれた足の親指に対向する位置に設けられ、
足のツボを押圧するツボ押し部が前記マッサージ機本体側から足裏に向けて突出しており、
前記ツボ押し部が前記ヒータ部を挟むように足の長手方向に沿って配置されていることを特徴とするマッサージ機。
【請求項６】
請求項５に記載のマッサージ機において、
前記ツボ押し部の頂部に足裏が接触した状態で、前記ヒータ部が足の親指に接触するように前記ヒータ部が前記マッサージ機本体側から足裏に向けて突出していることを特徴とするマッサージ機。
【発明の詳細な説明】
【技術分野】
【０００１】
本発明は、エアバックを用いて足裏をマッサージするマッサージ機に関するものである。
【背景技術】
【０００２】
この種のマッサージ機として、例えば特許文献１のものがある。特許文献１のマッサージ機を構成する足先用マッサージユニットは、その本体部であるユニット筐体を有している。ユニット筐体には、被施療者（使用者）の足先（くるぶしよりも下の部分）が挿入可能な一対の凹部が形成されている。一対の凹部は、底壁と、底壁の両端から上方に向けて互いに平行に延びる一対の第１側壁と、各第１側壁と平行に延びるとともに底壁における各第１側壁の間から突設された第２側壁とから形成されている。各凹部は、上方及び前後両方が開放されている。
【０００３】
各第１側壁における第２側壁と対向する側面には側面エアバックが設けられている。また、第２側壁の両側面（各第１側壁と対向する側面）には弾性部材が設けられている。さらに、底壁には底面エアバックが設けられている。底面エアバックにはウレタン樹脂等からなる指圧子が突設されている。
【０００４】
そして、両足先を各凹部に挿入した状態で、側面エアバックを膨張させると、この側面エアバックの膨張によって被施療者の足先が弾性部材側へ押圧されて、被施療者の足先が弾性部材に埋没していく。これにより、被施療者の足先が凹部に保持される。そして、底面エアバックを膨張させると、凹部に保持された足先の足裏が指圧子によって指圧マッサージされる。
【先行技術文献】
【特許文献】
【０００５】
【特許文献１】特開２００４−２３００２０号公報
【発明の概要】
【発明が解決しようとする課題】
【０００６】
しかしながら、特許文献１では、凹部の上方及び前側が開放されているため、足先が露出してしまっている。よって、冬場など寒い環境において、マッサージ機使用時に足先が冷えてしまい、快適な状態でマッサージ機を使用することができないという問題があった。
【０００７】
本発明は、上記課題を解決するためになされたものであって、その目的は、使用者がより快適に使用することが可能なマッサージ機を提供することにある。
【課題を解決するための手段】
【０００８】
上記課題を解決するために、本発明のマッサージ機は、マッサージ機本体に置かれた足先の足裏を前記マッサージ機本体に設けられたエアバックを用いてマッサージするマッサージ機において、前記マッサージ機本体に置かれた足の爪先から足先の甲に至る部位を被覆する被覆部を備えたことを特徴とする。
【０００９】
このマッサージ機において、前記被覆部は可撓性を有していることが好ましい。
このマッサージ機において、前記被覆部は発泡性材料から形成されていることが好ましい。
【００１０】
このマッサージ機において、足裏を温めるヒータ部を前記マッサージ機本体にさらに備えたことが好ましい。
このマッサージ機において、前記ヒータ部は前記マッサージ機本体に置かれた足の親指に対向する位置に設けられ、足のツボを押圧するツボ押し部が前記マッサージ機本体側から足裏に向けて突出しており、前記ツボ押し部が前記ヒータ部を挟むように足の長手方向に沿って配置されていることが好ましい。
【００１１】
このマッサージ機において、前記ツボ押し部の頂部に足裏が接触した状態で、前記ヒータ部が足の親指に接触するように前記ヒータ部が前記マッサージ機本体側から足裏に向けて突出していることが好ましい。
【発明の効果】
【００１２】
本発明によれば、使用者がより快適に使用することが可能なマッサージ機を提供することができる。
【図面の簡単な説明】
【００１３】
【図１】実施形態における挿入部材、本体カバー、マッサージ機本体及びベルトを示す分解斜視図である。
【図２】マッサージ機本体の分解斜視図である。
【図３】エアバックの回路図である。
【図４】マッサージ機本体の平面図である。
【図５】マッサージ機本体にベルトが取り付けられた状態を示す平面図である。
【図６】マッサージ機本体が本体カバーに取り付けられた状態を示す部分断面図である。
【図７】挿入部材をベルトの内側に配置した状態を示す部分平面図である。
【図８】挿入部材が本体カバーに取り付けられた状態を示す斜視図である。
【図９】挿入部材の係止突起が本体カバーの係止孔に対して係止している状態を示す部分断面図である。
【図１０】挿入部材の内側に足先を挿入した状態を示す部分断面図である。
【図１１】足裏とマッサージ機本体との位置関係を示す図である。
【発明を実施するための形態】
【００１４】
以下、本発明を、足裏をマッサージするために用いられるマッサージ機に具体化した一実施形態を図面に従って説明する。
図１に示すように、マッサージ機１０は、足先（くるぶしよりも下の部分）が置かれるマッサージ機本体１１と、マッサージ機本体１１が取り付けられた本体カバー３１と、本体カバー３１の内部に挿入される挿入部材４１とを有している。
【００１５】
まず、マッサージ機本体１１について説明する。
図２に示すように、マッサージ機本体１１は略矩形箱状の本体部１２を有しており、本体部１２の上面１２ａの中央部には、第１貫通孔１２ｂ及び第２貫通孔１２ｃが形成されている。第１貫通孔１２ｂ及び第２貫通孔１２ｃは、本体部１２の短手方向（図２に示す矢印Ｙ１の方向）に沿って所定の間隔をあけて配置されている。本体部１２の上面１２ａにはエアバック１３が載置される。
【００１６】
エアバック１３は、第１エア室１３ａと第２エア室１３ｂとに区画された構成になっている。第１エア室１３ａは、本体部１２の一長側面１２１側に位置するとともに本体部１２の長手方向（図２に示す矢印Ｙ２の方向）に沿って延びるように配置されている。第２エア室１３ｂは、本体部１２の他長側面１２２側に位置するとともに本体部１２の長手方向に沿って延びるように配置されている。エアバック１３には、第１エア室１３ａ内に連通する第１連通孔１３１ａと、第２エア室１３ｂ内に連通する第２連通孔１３１ｂとが形成されている。本体部１２の上面１２ａにエアバック１３が載置された状態において、第１連通孔１３１ａは第１貫通孔１２ｂと重なるとともに、第２連通孔１３１ｂは第２貫通孔１２ｃと重なるようになっている。
【００１７】
エアバック１３の上面には、布製のシート材１４を介して第１〜第４指圧プレート１５，１６，１７，１８が配設される。第１指圧プレート１５及び第２指圧プレート１６は平面視Ｌ字状をなしている。第１指圧プレート１５及び第２指圧プレート１６は、第１連通孔１３１ａを挟むとともに所定の間隔をあけて本体部１２の両短側面１２３，１２４側に第１エア室１３ａと重なるように配置される。第１指圧プレート１５及び第２指圧プレート１６の上面には、ツボ押し部１５ａ，１６ａが複数（本実施形態では３つずつ）突出している。第３指圧プレート１７及び第４指圧プレート１８は平面視矩形状をなしている。第３指圧プレート１７及び第４指圧プレート１８は、第２連通孔１３１ｂを挟むとともに所定の間隔をあけて本体部１２の両短側面１２３，１２４側に第２エア室１３ｂと重なるように配置される。第３指圧プレート１７及び第４指圧プレート１８の上面には、ツボ押し部１７ａ，１８ａが複数（本実施形態では２つずつ）突出している。
【００１８】
第１指圧プレート１５及び第３指圧プレート１７は、本体部１２の短手方向に並んで配置されている。よって、各ツボ押し部１５ａ，１７ａは、本体部１２の短手方向に並んで配置されている。第２指圧プレート１６及び第４指圧プレート１８は、本体部１２の短手方向に並んで配置されている。よって、各ツボ押し部１６ａ，１８ａは、本体部１２の短手方向に並んで配置されている。また、本体部１２の一短側面１２３側には操作部１９が設けられている。操作部１９は、マッサージ機１０のマッサージモードをＯＮ又はＯＦＦに切り替えるマッサージモード切替ボタンと、マッサージ機１０のヒータモードをＯＮ又はＯＦＦに切り替えるヒータモード切替ボタンとを有している。
【００１９】
図３に示すように、本体部１２内には、第１エア室１３ａ及び第２エア室１３ｂにエアを送り込むための加圧ポンプＰが内蔵されている。加圧ポンプＰにはエアチューブＣの一端が接続されている。エアチューブＣの他端側は、第１エア室１３ａに連通する第１連通部Ｃ１と、第２エア室１３ｂに連通する第２連通部Ｃ２とに分岐されている。第１連通部Ｃ１は、第１貫通孔１２ｂ及び第１連通孔１３１ａを介して第１エア室１３ａ内に挿通されている。第２連通部Ｃ２は、第２貫通孔１２ｃ及び第２連通孔１３１ｂを介して第２エア室１３ｂ内に挿通されている。
【００２０】
第１連通部Ｃ１には第１排気通路Ｅ１が接続されるとともに、第１排気通路Ｅ１には第１電磁弁Ｖ１が設けられている。第２連通部Ｃ２には第２排気通路Ｅ２が接続されるとともに、第２排気通路Ｅ２には第２電磁弁Ｖ２が設けられている。第１電磁弁Ｖ１及び第２電磁弁Ｖ２は、第１エア室１３ａ及び第２エア室１３ｂに供給されたエアを第１排気通路Ｅ１及び第２排気通路Ｅ２を介して大気へ排出するための排気弁として機能する。具体的には、第１電磁弁Ｖ１及び第２電磁弁Ｖ２が閉弁された状態では、加圧ポンプＰから供給されたエアはエアチューブＣを介して第１エア室１３ａ及び第２エア室１３ｂに供給されるようになっている。一方、第１電磁弁Ｖ１及び第２電磁弁Ｖ２が開弁された状態では、第１エア室１３ａ及び第２エア室１３ｂに供給されたエアが、第１排気通路Ｅ１及び第２排気通路Ｅ２、第１電磁弁Ｖ１及び第２電磁弁Ｖ２を介して大気へ排出されるようになっている。加圧ポンプＰ、第１電磁弁Ｖ１及び第２電磁弁Ｖ２の駆動は、本体部１２内に内蔵された制御部Ｓにより制御されるようになっている。
【００２１】
使用者が操作部１９のマッサージモード切替ボタンを押して、マッサージモードをＯＮにすると、制御部Ｓは、加圧ポンプＰを駆動するように加圧ポンプＰを制御するとともに、第１電磁弁Ｖ１及び第２電磁弁Ｖ２が閉弁になるように第１電磁弁Ｖ１及び第２電磁弁Ｖ２を制御する。すると、加圧ポンプＰからエアチューブＣに供給されたエアが、第１連通部Ｃ１を介して第１エア室１３ａに供給されるとともに、加圧ポンプＰからエアチューブＣに供給されたエアが第２連通部Ｃ２を介して第２エア室１３ｂに供給され、エアバック１３全体が膨張するようになっている。
【００２２】
また、第１エア室１３ａ及び第２エア室１３ｂにエアが所定量供給されると、制御部Ｓは、加圧ポンプＰの駆動を一時停止するように加圧ポンプＰを制御するとともに、第１電磁弁Ｖ１及び第２電磁弁Ｖ２が開弁状態になるように第１電磁弁Ｖ１及び第２電磁弁Ｖ２を制御する。すると、第１エア室１３ａ及び第２エア室１３ｂのエアが、第１排気通路Ｅ１及び第２排気通路Ｅ２、第１電磁弁Ｖ１及び第２電磁弁Ｖ２を介して大気へ排出されて、エアバック１３全体が膨張状態から元の膨張する前の状態に戻る。尚、制御部Ｓが、第１電磁弁Ｖ１及び第２電磁弁Ｖ２の開弁のタイミングを制御することで、例えば、エアバック１３において、第１エア室１３ａ側の部位のみを膨張させたり、第２エア室１３ｂ側の部位のみを膨張させたりすることが可能となる。
【００２３】
図４に示すように、本体部１２の上面１２ａにおける一長側面１２１側の中央にはヒータ部Ｈが設けられている。具体的には、ヒータ部Ｈは、第１指圧プレート１５と第２指圧プレート１６とに挟まれた位置に設けられている。
【００２４】
ヒータ部Ｈは、本体部１２の上面１２ａから上方に向けて突出する突出部Ｈ１を有している。突出部Ｈ１の上端には、ヒータ素子Ｈ２が埋設されている。ヒータ素子Ｈ２は、使用者が操作部１９のヒータモード切替ボタンを押して、ヒータモードをＯＮにすると、図示しない電圧印加部から所定の電圧（１２Ｖ）がヒータ素子Ｈ２に印加されて、ヒータ素子Ｈ２自身が発熱するようになっている。ヒータ素子Ｈ２の上側には、平板状をなすアルミニウム製のヒータプレートＨ３が配設されている。ヒータプレートＨ３は、ヒータ素子Ｈ２から発せられる熱が伝達されるようになっている。さらに、ヒータプレートＨ３の上側には平板状のヒータカバーＨ４が配設されている。このヒータカバーＨ４によりヒータプレートＨ３全体が被覆されている。
【００２５】
本体部１２の上面１２ａにおいて、操作部１９と、第１指圧プレート１５及び第３指圧プレート１７との間には、第１取付部２１が枠状に突設されるとともに、第１取付部２１には第１挿入部２１ａが形成されている。また、本体部１２の一長側面１２１の中央には第２取付部２２が枠状に突設されるとともに、第２取付部２２には第２挿入部２２ａが形成されている。さらに、本体部１２における他短側面１２４には第３取付部２３が枠状に突設されるとともに、第３取付部２３には第３挿入部２３ａが形成されている。第１取付部２１及び第３取付部２３は、本体部１２の長手方向に沿う直線上に位置している。
【００２６】
図５に示すように、マッサージ機本体１１には第１〜第３取付部２１，２２，２３を利用して規制手段としてのベルト２５が取り付けられる。ベルト２５は、足先の甲（足首から足指の付け根までの部位）に密着するように足先の甲に対してベルト２５が締め付けられても、足先の甲が痛むことがない柔らかい材質で形成されており、足先の甲に沿うように変形可能になっている。ベルト２５の両端には所定の長さを有する貼着部Ｔ［例えばマジックテープ（登録商標）］が設けられている。
【００２７】
ベルト２５をマッサージ機本体１１に取り付けるには、まず、ベルト２５の一端を、第１取付部２１の第１挿入部２１ａに対して本体部１２の一短側面１２３側から挿入する。続いて、第１挿入部２１ａを通過したベルト２５の一端を、第２取付部２２の第２挿入部２２ａに対して上方から挿入する。続いて、第２挿入部２２ａを通過したベルト２５の一端を、第３取付部２３の第３挿入部２３ａに対して上方から挿入する。第３挿入部２３ａを通過したベルト２５の一端は、ベルト２５の他端に対して貼着部Ｔを用いて貼着される。このようにして、ベルト２５は、マッサージ機本体１１に対してマッサージ機本体１１の上方を通過するように架け渡される。また、ベルト２５は、貼着部Ｔにより足先の甲に対して締め付け調整可能に構成されている。
【００２８】
次に、本体カバー３１について説明する。
図１及び図６に示すように、本体カバー３１は発泡性材料から形成されるとともに可撓性を有しており、略円板状の底壁３２と、底壁３２の外周縁から上方に向けて弧状に湾曲するように膨らむ周壁３３とを有している。周壁３３には開口３４が形成されている。開口３４の大きさは両足先が挿入可能な大きさになっている。周壁３３における開口３４よりも奥側は、足先を本体カバー３１の内側に挿入すると、爪先から足先の甲に至る部位を被覆可能になっている。よって、本実施形態では、周壁３３における開口３４よりも奥側は、爪先から足先の甲に至る部位を被覆する被覆部３５になっている。また、周壁３３における開口３４周りには係止孔３８が所定の間隔をあけて複数（本実施形態では８つ）形成されている。
【００２９】
図６に示すように、底壁３２には、マッサージ機本体１１が取り付けられる取付凹部３６が形成されている。取付凹部３６の底面３６ａには、本体部１２の底面から突出形成された位置決め部１２ｅが嵌合される位置決め孔３７が形成されている。そして、マッサージ機本体１１は、本体部１２を取付凹部３６に対して嵌め込むとともに、位置決め部１２ｅを位置決め孔３７に嵌合させることで、本体カバー３１に対して位置決めされた状態で取り付けられる。マッサージ機本体１１が本体カバー３１に取り付けられた状態では、被覆部３５によりベルト２５のほぼ全体が覆われている。また、マッサージ機本体１１が本体カバー３１に取り付けられた状態において、位置決め部１２ｅの底面は位置決め孔３７を介して外方に臨んでいる。
【００３０】
次に、挿入部材４１について説明する。
図１に示すように、挿入部材４１は布製であるとともに袋状をなしており、右足先が挿入可能な右足先挿入部４２と、左足先が挿入可能な左足先挿入部４３とを有している。挿入部材４１の開口４１ａの大きさは両足先が挿入可能な大きさになっている。挿入部材４１における開口４１ａ周りには、本体カバー３１の係止孔３８に係止可能な係止突起４４が複数（本実施形態では８つ）設けられている。係止突起４４は、挿入部材４１における開口４１ａ周りに取り付けられる円板状の取付部４４ａと、取付部４４ａの一面から直交する方向へ延びる延設部４４ｂと、延設部４４ｂの先端から外方へ突出して本体カバー３１の係止孔３８周りに係止可能な係止部４４ｃとから構成されている。
【００３１】
図７に示すように、挿入部材４１は、本体カバー３１の開口３４を介して本体カバー３１内に挿入され、ベルト２５の内側（ベルト２５とマッサージ機本体１１との間）に配置されるようになっている。具体的には、ベルト２５における第１取付部２１と第２取付部２２との間で架け渡された部位の下側に右足先挿入部４２が配置されるとともに、ベルト２５における第２取付部２２と第３取付部２３との間で架け渡された部位の下側に左足先挿入部４３が配置される。さらに、ベルト２５における第３取付部２３と第１取付部２１との間で架け渡された部位の下側に、挿入部材４１における足先の甲の上方に位置する部位が配置される。
【００３２】
図８に示すように、挿入部材４１がベルト２５の内側に配置された状態において、各係止突起４４を各係止孔３８に係止させる。具体的には、図９に示すように、係止突起４４を係止孔３８に対して強制的に挿入する。すると、係止部４４ｃが係止孔３８を通過するとともに、係止部４４ｃが係止孔３８周りに係止される。これにより、挿入部材４１が本体カバー３１に対して着脱可能に取り付けられる。このようにして、本実施形態のマッサージ機１０が構成される。
【００３３】
次に、本実施形態の作用について説明する。尚、使用者は、ベルト２５が使用者の足先の甲に密着するように、足先の甲に対するベルト２５の締め付け具合が貼着部Ｔにより予め調整されているものとする。
【００３４】
図１０に示すように、使用者は、両足先を挿入部材４１内に挿入する（図１０においては右足先のみ図示）。すると、図１１に示すように、足の親指がヒータ部Ｈ上に接触するとともに、各ツボ押し部１５ａ，１６ａ，１７ａ，１８ａの頂部１５１ａ，１６１ａ，１７１ａ，１８１ａが足裏に接触する。すなわち、各ツボ押し部１５ａ，１６ａ，１７ａ，１８ａは、足先の長手方向に沿って配置されている。また、被覆部３５により爪先から足先の甲に至る部位が被覆される。
【００３５】
続いて、使用者は、操作部１９のマッサージモード切替ボタンを押して、マッサージモードをＯＮにする。すると、エアバック１３が膨張する。このとき、ベルト２５により足先の甲がマッサージ機本体１１側へ締め付けられているため、エアバック１３の膨張に追従して足先が上方へ移動してしまうことが防止される。その結果として、各ツボ押し部１５ａ，１６ａ，１７ａ，１８ａが足裏に押し付けられ、効果的に足裏のマッサージが施される。
【００３６】
また、使用者が操作部１９のヒータモード切替ボタンを押して、ヒータモードをＯＮにすることで、ヒータ部Ｈが加温されるため、足の親指を中心として足裏が温められる。さらには、被覆部３５により爪先から足先の甲に至る部位が被覆されているため、マッサージ機１０を使用している際に足先が冷え難く、使用者は快適な状態でマッサージ機１０を使用することが可能となる。
【００３７】
次に、本実施形態の特徴的な効果を記載する。
（１）マッサージ機１０において、マッサージ機本体１１に置かれた足の爪先から足先の甲に至る部位を被覆する被覆部３５を設けた。よって、足先が露出してしまっている構成のマッサージ機に比べると、マッサージ機１０を使用している際に足先が冷え難く、使用者は快適な状態でマッサージ機１０を使用することができる。
【００３８】
（２）本体カバー３１は可撓性を有している。よって、足先を挿入する際に、被覆部３５に足先が接触したとしても、被覆部３５が足先に追従して撓むため、被覆部３５が邪魔にならずにスムーズに足先を本体カバー３１内に挿入することができる。
【００３９】
（３）本体カバー３１は発泡性材料から形成されている。発泡性材料は保温性が良いため、足先を効率良く温めることができる。
（４）足裏を温めるヒータ部Ｈをマッサージ機本体１１にさらに備えた。よって、ヒータ部Ｈによって足裏を効率良く温めることができるため、使用者はより快適な状態でマッサージ機１０を使用することができる。
【００４０】
（５）マッサージ機１０において、ヒータ部Ｈを、マッサージ機本体１１に置かれた足先の親指に対向する位置に設けるとともに、各ツボ押し部１５ａ，１６ａ，１７ａ，１８ａを、ヒータ部Ｈを挟むように足の長手方向に沿うように配置した。よって、足裏の中でも特に感じ易い親指をヒータ部Ｈにより温めつつも、足裏の大部分を各ツボ押し部１５ａ，１６ａ，１７ａ，１８ａにより指圧することができるため、マッサージ効果と保温効果とを両立させることができ、使用者は快適な状態でマッサージ機１０を使用することができる。
【００４１】
（６）各ツボ押し部１５ａ，１６ａ，１７ａ，１８ａの頂部１５１ａ，１６１ａ，１７１ａ，１８１ａに足裏が接触した状態で、ヒータ部Ｈが足裏に接触するようにヒータ部Ｈがマッサージ機本体１１側から足裏に向けて突出している。よって、ヒータ部Ｈが足裏に接触していない場合に比べると、足裏を効率良く温めることができる。
【００４２】
（７）挿入部材４１の内側に足先を挿入しているため、挿入部材４１が無い場合に比べると、保温性をさらに高めることができる。
（８）マッサージ機１０において、マッサージ機本体１１に置かれた足先がエアバック１３の膨張に追従して上方へ移動してしまうことを規制するベルト２５を、マッサージ機本体１１に置かれた足先の甲に対向する位置に設けた。よって、エアバック１３が膨張した際に、足先が上方へ移動してしまうことをベルト２５により防止することができ、効果的に足裏のマッサージを施すことができる。
【００４３】
（９）ベルト２５は、足先の甲に密着するように足先の甲に対して締め付け調整可能に構成されている。よって、足のサイズに応じてベルト２５における足先への締め付け具合を調整することができるため、使用者の足のサイズに関係無く、エアバック１３の膨張に追従して足先が上方に移動してしまうことを効率良く防止することができる。
【００４４】
（１０）ベルト２５の内側（ベルト２５とマッサージ機本体１１との間）に挿入部材４１を配置した。よって、使用者は、挿入部材４１に足先を挿入するだけで、ベルト２５の内側に足先を位置させることができる。したがって、例えば、ベルト２５の内側に挿入部材４１を配置していない状態で、ベルト２５の内側に足先を挿入しようとしたときに、足先にベルト２５が引っ掛かってしまうことがなく、マッサージ機１０の使い勝手を向上させることができる。
【００４５】
（１１）挿入部材４１は本体カバー３１に対して着脱可能に取り付けられている。よって、挿入部材４１を本体カバー３１から取り外して、挿入部材４１をクリーニング（洗濯）することができ、清潔感を維持した状態でマッサージ機１０を使用することができる。
【００４６】
（１２）マッサージ機１０にベルト２５を覆う被覆部３５を設けた。よって、例えば、ベルト２５の締め付け力が弱まっていた場合に、エアバック１３の膨張に追従して足先が上方へ移動してしまうことを被覆部３５により抑制することができる。
【００４７】
（１３）挿入部材４１には係止突起４４が設けられるとともに、本体カバー３１には係止突起４４が係止可能な係止孔３８が形成されている。よって、係止突起４４と係止孔３８との係止により、挿入部材４１を本体カバー３１に対して容易に取り付けることができるとともに、係止突起４４と係止孔３８との係止を解除するだけで、挿入部材４１における被覆部３５に対しての取り外しを容易に行うことができる。
【００４８】
尚、本発明の実施形態は、以下のように変更してもよい。
・実施形態において、各ツボ押し部１５ａ，１６ａ，１７ａ，１８ａの頂部１５１ａ，１６１ａ，１７１ａ，１８１ａに足裏が接触した状態で、ヒータ部Ｈが足裏に接触するようにヒータ部Ｈがマッサージ機本体１１側から足裏に向けて突出していなくてもよい。
【００４９】
・実施形態において、ヒータ部Ｈの配置位置は、足の親指に対向する位置でなくてもよく、例えば、足裏のほぼ全体にヒータ部が設けられていてもよい。また、各ツボ押し部１５ａ，１６ａ，１７ａ，１８ａは、ヒータ部Ｈを挟むように足の長手方向に沿うように配置されていなくてもよい。
【００５０】
・実施形態において、ヒータ部Ｈを削除してもよい。
・実施形態において、本体カバー３１が発泡性材料から形成されていなくてもよく、例えば、ゴム材料や樹脂材料から形成されていてもよい。
【００５１】
・実施形態において、本体カバー３１が可撓性を有していなくてもよい。
・実施形態において、挿入部材４１は被覆部３５に着脱可能に取り付けられていなくてもよく、例えば、ベルト２５に着脱可能に取り付けられていてもよい。
【００５２】
・実施形態において、挿入部材４１が本体カバー３１に対して一体的に設けられていてもよい。すなわち、挿入部材４１が本体カバー３１に対して着脱不可能な構成であってもよい。
【００５３】
・実施形態において、挿入部材４１が布製でなくてもよく、例えば、ゴム材料や樹脂材料から形成されていてもよい。
・実施形態において、挿入部材４１を削除してもよい。
【００５４】
・実施形態において、ベルト２５は、足先の甲に密着するように足先の甲に対して締め付け調整することができない構成であってもよい。
・実施形態において、規制手段として、ベルト２５を適用したが、これに限らず、例えば紐であってもよい。
【００５５】
・実施形態において、ベルト２５を削除してもよい。
次に、上記実施形態及び別例から把握できる技術的思想を以下に追記する。
（イ）請求項１〜請求項６のいずれか一項に記載のマッサージ機において、前記エアバックの膨張に追従して前記マッサージ機本体に置かれた足先が上方へ移動してしまうことを規制する規制手段が、前記マッサージ機本体に置かれた足先の甲に対向する位置に設けられていることを特徴とするマッサージ機。
【符号の説明】
【００５６】
Ｈ…ヒータ部、１０…マッサージ機、１１…マッサージ機本体、１３…エアバック、１５ａ，１６ａ，１７ａ，１８ａ…ツボ押し部、１５１ａ，１６１ａ，１７１ａ，１８１ａ…頂部、２５…規制手段としてのベルト、３５…被覆部。
【図１】
2013000508.tif 000003
【図２】
2013000508.tif 000004
【図３】
2013000508.tif 000005
【図４】
2013000508.tif 000006
【図５】
2013000508.tif 000007
【図６】
2013000508.tif 000008
【図７】
2013000508.tif 000009
【図８】
2013000508.tif 000010
【図９】
2013000508.tif 000011
【図１０】
2013000508.tif 000012
【図１１】
2013000508.tif 000013